(57)【要約】【課題】リレーおよびリレーボックスの占有スペースが全体として肥大化することを抑制する。【解決手段】リレー２０は、リレー本体部２１から一軸方向ＤＲ１の他方側へ突き出たオス端子２２と突起２４とを備えている。そして、リレー２０がリレーボックス３０へ装着される際に、その突起２４は、リレーボックス３０に形成された嵌合穴３１１ｃへ嵌入される。従って、オス端子２２とメス端子３２との誤結を防止する機能をリレー２０の突起２４に持たせることができる。つまり、リレー２０をリレーボックス３０へ装着する際にそのリレー２０をガイドするガイド部を、リレー２０およびリレーボックス３０の外周部分に配置する必要がない。そのため、リレー２０およびリレーボックス３０の占有スペースが全体として肥大化することを抑制することが可能である。【選択図】図３
2018106858.tif 000002
【特許請求の範囲】
【請求項１】
一軸方向（ＤＲ１）の一方側から相手側電気機器（３０）へ装着される電磁継電器であって、
本体部（２１）と、
該本体部から前記一軸方向の前記一方側とは反対側の他方側へ突き出ており、前記相手側電気機器が有するメス端子（３２）に電気的に接続されるオス端子（２２）と、
前記本体部から前記一軸方向の前記他方側へ突き出ており、前記相手側電気機器に形成された嵌合穴（３１１ｃ）へ嵌入される突起（２４、２４ａ、２４ｂ）とを備えていることを特徴とする電磁継電器。
【請求項２】
前記オス端子は複数設けられており、
前記突起は、該複数のオス端子の相互間に配置されていることを特徴とする請求項１に記載の電磁継電器。
【請求項３】
前記突起の先端（２４２ａ）は、前記オス端子の先端（２２ａ）よりも前記一軸方向の前記他方側に位置していることを特徴とする請求項１または２に記載の電磁継電器。
【請求項４】
前記突起（２４ａ、２４ｂ）は複数設けられており、
該複数の突起のうちの第１突起（２４ａ）は、該複数の突起のうちの第２突起（２４ｂ）よりも、前記一軸方向の前記他方側へ突き出ていることを特徴とする請求項３に記載の電磁継電器。
【請求項５】
前記本体部は、前記相手側電気機器に対して前記一軸方向に対向する本体対向面（２１１ａ）を有し、
前記オス端子および前記突起は前記本体対向面から前記一軸方向の前記他方側へ突き出ており、
前記突起は、前記一軸方向の前記他方側から見たときに、前記本体対向面の重心位置（Ｐ１）を中心とした点対称の配置から外れた配置となっていることを特徴とする請求項３または４に記載の電磁継電器。
【請求項６】
前記突起は、前記突起の先端を含む突起先端部（２４２）を有し、
該突起先端部は、前記一軸方向の前記他方側ほど縮径するテーパ状に形成されていることを特徴とする請求項３ないし５のいずれか１つに記載の電磁継電器。
【請求項７】
前記突起は、回転体に該当しない非回転体の形状を成していることを特徴とする請求項１ないし６のいずれか１つに記載の電磁継電器。
【請求項８】
相手側電気機器（２０）へ装着される電磁継電器であって、
前記相手側電気機器が有するオス端子（２２）が一軸方向（ＤＲ１）の一方側から嵌め入れられることにより該オス端子に電気的に接続されるメス端子（３２）と、
該メス端子を収容するハウジング（３１）とを備え、
前記ハウジングには、前記相手側電気機器が有する突起（２４）が前記一軸方向の前記一方側から嵌入される嵌合穴（３１１ｃ）が形成されていることを特徴とする電磁継電器。
【請求項９】
前記メス端子は複数設けられており、
前記嵌合穴は、該複数のメス端子の相互間に配置されていることを特徴とする請求項８に記載の電磁継電器。
【発明の詳細な説明】
【技術分野】
【０００１】
本発明は、電磁継電器に関するものである。
【背景技術】
【０００２】
例えば車載用プラグインリレーなどのリレー（すなわち、電磁継電器）をリレーボックスの相手側コネクタに装着する際には、そのリレーのオス端子と相手側コネクタのメス端子とを相互に位置合わせし、オス端子とメス端子とを変形させないように組み付ける必要がある。また、オス端子とメス端子との誤結防止を図る必要もある。
【０００３】
そのために、特許文献１に記載のリレーが装着されるリレーボックスとしてのソケットは、装着されたリレーのリレー本体に対向するベースから立ち上がった立上り片を有している。そして、その立上り片はそのリレー本体の外形に沿って配設され、リレーが装着される際にそのリレーをガイドする。
【０００４】
また、特許文献２のリレーは、そのリレーの本体ケースから延設されたスカート部を備えている。一方で、このリレーが装着されるリレーボックスは特許文献２には図示されていないが、一般的に、そのリレーボックスには、リレーのスカート部と嵌合するコネクタが設けられる。そして、そのスカート部はコネクタの形状に合った形状を成しており、コネクタガイドとしても機能する。つまり、そのスカート部はコネクタに沿うことで、オス端子がメス端子に嵌入される際にそのオス端子をガイドする。
【先行技術文献】
【特許文献】
【０００５】
【特許文献１】実開平２−１２６３８９号公報
【特許文献２】特開平６−６０７８５号公報
【発明の概要】
【発明が解決しようとする課題】
【０００６】
特許文献１、２の何れでも、リレーと、リレーが装着される相手側電気機器であるリレーボックスとの一方または両方に、リレー装着の際にそのリレーをガイドするガイド形状を備えたガイド部を設ける必要がある。そして、そのガイド部は、リレーと相手側電気機器との一方または両方の外周部分に配置される。従って、そのようなガイド部は、リレーおよび相手側電気機器の体格を全体として拡大させる原因になる。すなわち、上記外周部分に配置されるガイド部を設けることは、リレーおよび相手側電気機器の占有スペースを全体として肥大化させることにつながっていた。
【０００７】
本発明は上記点に鑑みて、電磁継電器および相手側電気機器の占有スペースが全体として肥大化することを抑制することができる電磁継電器を提供することを目的とする。
【課題を解決するための手段】
【０００８】
上記目的を達成するため、請求項１に記載された電磁継電器は、
一軸方向（ＤＲ１）の一方側から相手側電気機器（３０）へ装着される電磁継電器であって、
本体部（２１）と、
その本体部から一軸方向の一方側とは反対側の他方側へ突き出ており、相手側電気機器が有するメス端子（３２）に電気的に接続されるオス端子（２２）と、
本体部から一軸方向の他方側へ突き出ており、相手側電気機器に形成された嵌合穴（３１１ｃ）へ嵌入される突起（２４、２４ａ、２４ｂ）とを備えていることを特徴とする。
【０００９】
また、請求項８に記載された電磁継電器は、
相手側電気機器（２０）へ装着される電磁継電器であって、
相手側電気機器が有するオス端子（２２）が一軸方向（ＤＲ１）の一方側から嵌め入れられることによりそのオス端子に電気的に接続されるメス端子（３２）と、
そのメス端子を収容するハウジング（３１）とを備え、
ハウジングには、相手側電気機器が有する突起（２４）が一軸方向の一方側から嵌入される嵌合穴（３１１ｃ）が形成されていることを特徴とする。
【００１０】
上述した請求項１または請求項８に記載された電磁継電器のようにすれば、オス端子とメス端子との誤結を防止する機能を突起に持たせることができる。従って、電磁継電器を相手側電気機器へ装着する際にその電磁継電器をガイドする上記ガイド部を、上記誤結を防止するために、電磁継電器および相手側電気機器の外周部分に配置する必要がない。そのため、電磁継電器および相手側電気機器の占有スペースが全体として肥大化することを抑制することが可能である。
【００１１】
なお、特許請求の範囲およびこの欄で記載した括弧内の各符号は、後述する実施形態に記載の具体的内容との対応関係を示す一例である。
【図面の簡単な説明】
【００１２】
【図１】第１実施形態のリレーを模式的に示した斜視図である。
【図２】図１のリレーが装着されるリレーボックスを模式的に示した斜視図である。
【図３】図１のリレーが図２のリレーボックスに装着された状態においてそのリレーおよびリレーボックスの断面を模式的に示した断面図であって、図２のIII−III断面で切断した断面図である。
【図４】図１のリレー単体を一軸方向の他方側から見た平面図であって、図１におけるIV矢視図である。
【図５】第２実施形態のリレーがリレーボックスに装着された状態においてそのリレーおよびリレーボックスの断面を模式的に示した断面図であって、第１実施形態の図３に相当する図である。
【図６】第３実施形態のリレー単体を一軸方向の他方側から見た平面図であって、第１実施形態の図４に相当する図である。
【図７】他の実施形態において、一軸方向を法線方向とした突起の軸直交断面の一例を表した第１の図である。
【図８】他の実施形態において、一軸方向を法線方向とした突起の軸直交断面の一例を表した第２の図である。
【発明を実施するための形態】
【００１３】
以下、図面を参照しながら、各実施形態を説明する。なお、以下の各実施形態相互において、互いに同一もしくは均等である部分には、図中、同一符号を付してある。
【００１４】
（第１実施形態）
図１は本実施形態のリレー２０の斜視図であり、図２は、そのリレー２０が装着されるリレー装着ユニットとしてのリレーボックス３０を表した斜視図である。また、図３は、リレー２０がリレーボックス３０に装着された状態においてそのリレー２０およびリレーボックス３０の断面を示した断面図であって、図２のIII−III断面で切断した断面図である。
【００１５】
図１〜図３に示すように、リレー２０は、一軸方向ＤＲ１の一方側からリレーボックス３０へ装着される。そのリレー２０およびリレーボックス３０は互いに組み合わされることで電子装置１０を構成する。
【００１６】
リレー２０は、一対の電気接点を接離させて電気回路を開閉する電磁継電器である。リレー２０は、そのリレー２０の本体部であるリレー本体部２１と、複数のオス端子２２と、複数の突起２４とを備えている。すなわち、本実施形態において、オス端子２２と突起２４とを有するオス側電気機器２０はリレー２０である。なお、確認的に述べるが、図１は、リレーボックス３０へ装着される前のリレー２０単体を示し、図２は、リレー２０が装着される前のリレーボックス３０単体を示している。
【００１７】
リレー本体部２１は、リレー本体ケース２１１と、電気接点などを含む電気回路とを有している。そのリレー本体ケース２１１は例えば樹脂製であり、そのリレー本体ケース２１１の内部に電気回路を収容している。
【００１８】
また、リレー本体部２１は、複数のオス端子２２と複数の突起２４とのそれぞれに対し一軸方向ＤＲ１の一方側に設けられている。また、オス端子２２は、例えば一軸方向ＤＲ１に直交する方向に板厚を有する板形状を成している。そして、オス端子２２は、銅合金など金属製の板部材から構成されている。なお、上記の２つの方向が直交することは、数学的に９０度で交差することのみに限定されるわけではなく、技術常識の範囲内で直交とみなせる態様を含んでいる。
【００１９】
オス端子２２の長手方向および突起２４の長手方向は、その一軸方向ＤＲ１に一致している。すなわち、オス端子２２および突起２４はそれぞれ、一軸方向ＤＲ１に沿って、そのリレー本体部２１から一軸方向ＤＲ１の一方側とは反対側の他方側へと突き出ている。
【００２０】
詳細には、リレー本体部２１は、リレーボックス３０に対して一軸方向ＤＲ１に対向する本体対向面２１１ａを有している。その本体対向面２１１ａはリレー本体ケース２１１の一部である。そして、オス端子２２および突起２４はそれぞれ、その本体対向面２１１ａから一軸方向ＤＲ１の他方側へ突き出ている。
【００２１】
リレーボックス３０は、リレー２０が装着される相手側としての相手側電気機器である。
【００２２】
リレーボックス３０は、ボックスケース３１と複数のメス端子３２とを備えている。すなわち、本実施形態において、メス端子３２を有するメス側電気機器３０はリレーボックス３０である。
【００２３】
複数のメス端子３２は、リレー２０が有する複数のオス端子２２それぞれに電気的に接続される。また、メス端子３２は、例えば銅合金など金属製の板部材が曲げ加工されることにより構成されている。メス端子３２としては、例えばファストン（登録商標）型の端子またはギボシ端子など種々の端子形状を採用することができる。なお、オス端子２２とメス端子３２は互いに同数設けられており、本実施形態では８個ずつ設けられている。
【００２４】
ボックスケース３１は、リレーボックス３０の外殻を構成するハウジングとして設けられている。ボックスケース３１は例えば樹脂製である。ボックスケース３１は、そのボックスケース３１の内部に複数のメス端子３２を収容している。また、ボックスケース３１は、複数のメス端子３２をそれぞれ保持している。すなわち、そのボックスケース３１は、それぞれのメス端子３２を保持する不図示の端子保持構造を、ボックスケース３１の内部に備えている。
【００２５】
リレー２０がリレーボックス３０に装着されたリレー装着状態においては、リレー本体部２１はリレーボックス３０に対し一軸方向ＤＲ１の一方側に配置されている。
【００２６】
また、ボックスケース３１は、ボックスケース３１のうち一軸方向ＤＲ１の一方側を構成するリレー側ケース壁３１１を有している。そして、そのリレー側ケース壁３１１は、リレー２０の本体対向面２１１ａに対向するボックスケース対向面３１１ａを、リレー側ケース壁３１１の一面として有している。
【００２７】
リレー側ケース壁３１１には、リレー２０の各オス端子２２が挿通される端子挿通孔３１１ｂが、メス端子３２の配置場所毎に形成されている。オス端子２２がメス端子３２に嵌め入れられる際には、オス端子２２は、一軸方向ＤＲ１の一方側から、その端子挿通孔３１１ｂを通ってリレーボックス３０のメス端子３２に嵌め入れられる。そして、リレー２０のオス端子２２は、そのようにメス端子３２に嵌め入れられることにより、そのメス端子３２に電気的に接続される。すなわち、一軸方向ＤＲ１とは言い換えれば、オス端子２２をメス端子３２に嵌め入れる端子嵌入方向である。
【００２８】
リレー側ケース壁３１１には複数の嵌合穴３１１ｃが形成されている。この嵌合穴３１１ｃはボックスケース３１内にまで貫通した貫通穴として設けられている。
【００２９】
リレー２０がリレーボックス３０に装着される際にこの嵌合穴３１１ｃには、リレー２０の突起２４が一軸方向ＤＲ１の一方側から嵌入される。そのため、リレーボックス３０の嵌合穴３１１ｃは、リレー装着状態において突起２４に対し一軸方向ＤＲ１で同軸となるように配置されている。要するに、複数の嵌合穴３１１ｃは、複数の突起２４にそれぞれ対応した配置になっている。
【００３０】
そして、嵌合穴３１１ｃと突起２４は互いに同数設けられており、本実施形態では２つずつ設けられている。嵌合穴３１１ｃと突起２４は何れも、一軸方向ＤＲ１を法線方向とした軸直交断面において、例えば円形断面形状を成している。
【００３１】
図１および図３に示すように、リレー２０の複数の突起２４はそれぞれ、突起嵌合部２４１と突起先端部２４２とを有している。突起２４は例えば樹脂製であり、リレー本体ケース２１１のうち本体対向面２１１ａを構成する壁部分と一体に成形されている。
【００３２】
突起嵌合部２４１は、一軸方向ＤＲ１の一方側にてリレー本体ケース２１１に連結している。また、突起嵌合部２４１は、一軸方向ＤＲ１の中心軸線を有する円柱形状を成している。そして、リレー装着状態においては、突起２４のうちこの突起嵌合部２４１がリレーボックス３０の嵌合穴３１１ｃに嵌合する。
【００３３】
突起２４の突起先端部２４２は、突起嵌合部２４１に対し一軸方向ＤＲ１の他方側に配置されており、突起嵌合部２４１から延設されている。突起先端部２４２のうち一軸方向ＤＲ１における一方側の端は突起嵌合部２４１と同一径になっている。そして、突起先端部２４２は、一軸方向ＤＲ１の他方側ほど縮径するテーパ状に形成されている。
【００３４】
また、突起先端部２４２のうち一軸方向ＤＲ１における他方側の端（すなわち、先端）は、突起２４の先端２４２ａになっている。すなわち、突起先端部２４２には、突起２４の先端２４２ａが含まれる。
【００３５】
また、図４に示すように、複数の突起２４はそれぞれ、リレー２０が有する複数のオス端子２２の相互間に配置されている。従って、複数の突起２４は、リレー本体部２１の本体対向面２１１ａのうち複数のオス端子２２が配置されたオス端子配置領域の範囲内に配置されている。要するに、複数の突起２４は、本体対向面２１１ａのうち、複数のオス端子２２の相互間に生じている空きスペースに設けられている。なお、図４は、リレー２０単体を一軸方向ＤＲ１の他方側から見た平面図であって、図１におけるIV矢視図である。
【００３６】
このようなことはリレーボックス３０におけるメス端子３２と嵌合穴３１１ｃとの配置についても言える。すなわち、一軸方向ＤＲ１に沿った向きから見た場合に、複数の嵌合穴３１１ｃはそれぞれ、リレーボックス３０が有する複数のメス端子３２の相互間に配置されている。従って、複数の嵌合穴３１１ｃは、複数のメス端子３２がボックスケース対向面３１１ａに投影された場合にその投影された複数のメス端子３２が占めるメス端子配置領域の範囲内に配置されている。要するに、複数の嵌合穴３１１ｃは、ボックスケース対向面３１１ａのうち、複数のメス端子３２の相互間に生じている空きスペースに設けられている。
【００３７】
また、図３に示すように、本実施形態では、本体対向面２１１ａからの突起２４の突出し量は、何れの突起２４でも同じである。また、リレー２０が有する全ての突起２４において、突起２４の先端２４２ａは、オス端子２２の先端２２ａよりも一軸方向ＤＲ１の他方側に位置している。要するに、本体対向面２１１ａからの突出し量は、オス端子２２よりも突起２４の方が大きいということである。
【００３８】
図４に示すように、複数の突起２４および複数のオス端子２２は全体として、一軸方向ＤＲ１の他方側から見たときに、本体対向面２１１ａの重心位置Ｐ１を中心とした点対称の配置となっている。従って、その重心位置Ｐ１を通る一軸方向ＤＲ１の軸線まわりにリレー２０を１８０度回転させても、そのリレー２０をリレーボックス３０へ装着することが可能である。要するに、複数の突起２４および複数のオス端子２２は、一軸方向ＤＲ１の他方側から見たときに、全体として２回回転対称の形状を成している。
【００３９】
上述したように、本実施形態によれば、図１〜図３に示すように、リレー２０は、リレー本体部２１から一軸方向ＤＲ１の他方側へ突き出たオス端子２２と突起２４とを備えている。そして、リレー２０がリレーボックス３０へ装着される際に、その突起２４は、リレーボックス３０に形成された嵌合穴３１１ｃへ嵌入される。従って、オス端子２２とメス端子３２との誤結を防止する機能をリレー２０の突起２４に持たせることができる。つまり、リレー２０をリレーボックス３０へ装着する際にそのリレー２０をガイドするガイド部を、オス端子２２とメス端子３２との誤結防止のために、リレー２０およびリレーボックス３０の外周部分に配置する必要がない。そのため、リレー２０およびリレーボックス３０の占有スペースが全体として肥大化することを抑制することが可能である。
【００４０】
また、突起２４は円柱形状などの単純な形状で足りるので、リレー２０およびリレーボックス３０それぞれの構造が、オス端子２２とメス端子３２との誤結防止機能のために複雑化することを抑制することが可能である。そして、そのような複雑化の抑制は、延いては、リレー２０およびリレーボックス３０のコスト低減にもつながる。
【００４１】
また、本実施形態によれば、図３および図４に示すように、複数の突起２４はそれぞれ、リレー２０が有する複数のオス端子２２の相互間に配置されている。従って、本体対向面２１１ａにおいて複数のオス端子２２の相互間に生じている空きスペースを、突起２４を設けることに活用することができる。
【００４２】
また、メス端子３２側に着目すれば、ボックスケース３１に形成された複数の嵌合穴３１１ｃはそれぞれ、リレーボックス３０が有する複数のメス端子３２の相互間に配置されている。従って、上記と同様に、ボックスケース対向面３１１ａにおいて複数のメス端子３２の相互間に生じている空きスペースを、嵌合穴３１１ｃを設けることに活用することができる。
【００４３】
また、本実施形態によれば、図１および図３に示すように、突起２４の先端２４２ａは、オス端子２２の先端２２ａよりも一軸方向ＤＲ１の他方側に位置している。従って、そうでない場合と比較して、リレー２０をリレーボックス３０へ装着する際にオス端子２２をメス端子３２へ嵌入させるようにガイドする突起２４のガイド機能を、より高めることが可能である。そのため、リレー２０の装着の際の作業性が向上し、それと共に、その作業中におけるオス端子２２の変形を抑止することが可能である。
【００４４】
また、本実施形態によれば、図１および図３に示すように、突起先端部２４２は、一軸方向ＤＲ１の他方側ほど縮径するテーパ状に形成されている。これにより、リレー２０の突起２４をリレーボックス３０の嵌合穴３１１ｃへ円滑に嵌入することが可能である。
【００４５】
ここで、この突起先端部２４２のテーパ形状のようなガイド形状を、突起２４にではなく嵌合穴３１１ｃに設けることも可能ではある。しかしながら、ガイド形状を嵌合穴３１１ｃに設けたとすれば、その分、その嵌合穴３１１ｃがボックスケース対向面３１１ａ上に占める領域が拡大する。従って、ガイド形状を嵌合穴３１１ｃに設けることは、リレーボックス３０の体格拡大につながるというデメリットを生じる。本実施形態では、突起先端部２４２のテーパ形状によって、そのようなデメリットが回避されている。
【００４６】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態の説明においても同様である。
【００４７】
図５に示すように本実施形態では、複数の突起２４の長さが相互に異なっている。本実施形態はこの点において第１実施形態と異なっている。本実施形態の説明を判りやすくするために、複数の突起２４のうち、図５において右側に図示された突起２４を第１突起２４ａと呼び、左側に図示された突起２４を第２突起２４ｂと呼ぶものとする。
【００４８】
リレー２０が有する複数の突起２４ａ、２４ｂのうちの第１突起２４ａは、その複数の突起２４ａ、２４ｂのうちの第２突起２４ｂと比較して、一軸方向ＤＲ１の他方側へ大きく突き出ている。要するに、第１突起２４ａは第２突起２４ｂよりも一軸方向ＤＲ１の他方側へ突き出ている。
【００４９】
従って、リレー２０をリレーボックス３０へ装着する際には、第１突起２４ａをそれに対応した嵌合穴３１１ｃに嵌入させてから、第２突起２４ｂをそれに対応した嵌合穴３１１ｃに嵌入させることができる。これにより、例えば全ての突起２４ａ、２４ｂの突出し量が互いに等しい場合と比較して、各突起２４ａ、２４ｂを嵌合穴３１１ｃに嵌入させる作業を容易に行うことができる。
【００５０】
以上説明したことを除き、本実施形態は第１実施形態と同様である。そして、本実施形態では、前述の第１実施形態と共通の構成から奏される効果を第１実施形態と同様に得ることができる。
【００５１】
（第３実施形態）
次に、第３実施形態について説明する。本実施形態では、前述の第１実施形態と異なる点を主として説明する。
【００５２】
図６に示すように本実施形態では、リレー２０が有する複数の突起２４のうち一の突起２４の形状および位置が、第１実施形態に対して異なっている。
【００５３】
具体的には、図６に示された２本の突起２４のうち右側に図示された一方の突起２４が四角柱形状を成している。また、その一方の突起２４の位置も、第１実施形態のそれに対して異なっている。
【００５４】
そのため、リレー２０が有する複数の突起２４は、一軸方向ＤＲ１の他方側から見たときに、本体対向面２１１ａの重心位置Ｐ１を中心とした点対称の配置から外れた配置となっている。別言すれば、複数の突起２４および複数のオス端子２２は、一軸方向ＤＲ１の他方側から見たときに、全体として１回回転対称の形状を成している。これにより、一軸方向ＤＲ１の軸線まわりのリレー２０の角度位置をリレーボックス３０に対し１つの特定角度位置としてリレー２０がリレーボックス３０に装着されることを許容しつつ、リレー２０がその特定角度位置から外れてリレーボックス３０に装着されることを防止することが可能である。
【００５５】
なお、突起２４はリレーボックス３０の嵌合穴３１１ｃに嵌合するので、上記一方の突起２４が嵌合する嵌合穴３１１ｃは、その一方の突起２４に対応した軸直交断面形状（具体的には、矩形断面形状）を成し、その一方の突起２４に対応した位置に設けられる。
【００５６】
以上説明したことを除き、本実施形態は第１実施形態と同様である。そして、本実施形態では、前述の第１実施形態と共通の構成から奏される効果を第１実施形態と同様に得ることができる。
【００５７】
なお、本実施形態は第１実施形態に基づいた変形例であるが、本実施形態を前述の第２実施形態と組み合わせることも可能である。
【００５８】
（他の実施形態）
（１）上述の各実施形態では図３に示すように、リレーボックス３０の嵌合穴３１１ｃは貫通穴として設けられているが、貫通穴ではなく凹状の止まり穴であってもよい。すなわち、嵌合穴３１１ｃには、凹状に形成された凹部も含まれる。
【００５９】
（２）上述の各実施形態では図１および図３に示すように、リレー２０が有する全ての突起２４において、突起２４の先端２４２ａは、オス端子２２の先端２２ａよりも一軸方向ＤＲ１の他方側に位置しているが、これは一例である。例えば、全ての突起２４のうちの何れかだけにおいて、突起２４の先端２４２ａが、オス端子２２の先端２２ａよりも一軸方向ＤＲ１の他方側に位置していることも考え得る。或いは、リレー２０が有する全ての突起２４において、突起２４の先端２４２ａが、オス端子２２の先端２２ａよりも一軸方向ＤＲ１の一方側に位置していることも考え得る。
【００６０】
（３）上述の第１実施形態では図１および図４に示すように、突起嵌合部２４１は円柱形状を成し、突起先端部２４２はテーパ形状を成しているので、突起２４は回転体の形状を成しているが、これは一例である。例えば、リレー２０が有する複数の突起２４のうちの全部または一部が、回転体に該当しない非回転体の形状を成していてもよい。
【００６１】
このようにすれば、突起２４が１本であっても、リレー２０のオス端子２２とリレーボックス３０のメス端子３２との誤結防止を有効に図ることが可能である。なお、このことは第２実施形態についても同様である。
【００６２】
例えば、非回転体の形状を成す突起２４として、一軸方向ＤＲ１を法線方向とした突起２４の軸直交断面が図７のようにＬ字形状になっているものが想定される。或いは、その非回転体の形状を成す突起２４として、軸直交断面が図８のように正方形形状になっているものが想定される。
【００６３】
なお、突起２４はリレーボックス３０の嵌合穴３１１ｃに嵌合するので、その嵌合穴３１１ｃの軸直交断面は突起２４の軸直交断面に対応した形状になる。例えば、突起２４が図７のようにＬ字形状の軸直交断面であれば嵌合穴３１１ｃの軸直交断面もＬ字形状になり、突起２４が図８のように正方形形状の軸直交断面であれば嵌合穴３１１ｃの軸直交断面も正方形形状になる。
【００６４】
（４）上述の各実施形態では図１および図２に示すように、オス端子２２と突起２４とを有するオス側電気機器２０はリレーであり、嵌合穴３１１ｃが形成されメス端子３２を有するメス側電気機器３０は、リレーが装着される相手側としての相手側電気機器である。しかしながら、これは一例であり、それらの対応関係は逆であってもよい。
【００６５】
すなわち、図２に示すメス側電気機器３０がリレーであり、図１に示すオス側電気機器２０が相手側電気機器であってもよいということである。このような対応関係であったとすれば、そのメス側電気機器３０として構成されたリレーは、図２および図３に示すように、ハウジングとしてのボックスケース３１と、複数のメス端子３２とを備える。その一方で、オス側電気機器２０として構成された相手側電気機器は、図１に示すように、本体部２１と複数のオス端子２２と複数の突起２４とを備える。
【００６６】
（５）上述の第１実施形態の図１では、リレー２０の本体対向面２１１ａは平面的に記載されているが、これは図１が模式図だからであり、その本体対向面２１１ａに凸凹が形成されていても差し支えない。図２に示されたボックスケース対向面３１１ａもこれと同様であり、そのボックスケース対向面３１１ａに凸凹が形成されていても差し支えない。これらのことは第２実施形態および第３実施形態においても同様である。
【００６７】
（６）なお、本発明は、上述の実施形態に限定されることなく、種々変形して実施することができる。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。
【００６８】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【００６９】
２０        リレー（電磁継電器）
２１        リレー本体部（本体部）
２２        オス端子
２４        突起
３０        リレーボックス（相手側電気機器）
３２        メス端子
３１１ｃ    嵌合穴
ＤＲ１      一軸方向
【図１】
2018106858.tif 000003
【図２】
2018106858.tif 000004
【図３】
2018106858.tif 000005
【図４】
2018106858.tif 000006
【図５】
2018106858.tif 000007
【図６】
2018106858.tif 000008
【図７】
2018106858.tif 000009
【図８】
2018106858.tif 000010